(57)【要約】【課題】共通パイロットチャネルの拡散率とパケットチャネルの拡散率との違いにより等化後のパケットチャネルに生じる雑音強調を低減すること。【解決手段】雑音成分付与部１０５では、共通パイロットチャネルとパケットチャネルの拡散率の違いに応じた定数を用いて雑音成分に相当する大きさの雑音相当値が算出され、相関行列・相関ベクトル算出部１０６では、自己相関行列の対角項に雑音相当値が加算される。ウェイト算出部１０７では、対角項に雑音相当値が加算された自己相関行列が用いられ、最適ウェイトが算出され、適応等化部１０８において受信信号の等化が行われる。【選択図】      図１
2004356864.tif 000002
【特許請求の範囲】
【請求項１】
所定の拡散率の拡散コードで拡散された共通パイロットチャネル信号と、前記所定の拡散率よりも低い拡散率の拡散コードで拡散されたパケットチャネル信号とがコード多重された信号を受信する受信装置において、
受信信号を共通パイロットチャネル信号の拡散コードで逆拡散する逆拡散手段と、
前記逆拡散手段の逆拡散結果を示す入力信号ベクトルと、共通パイロットチャネル信号の拡散率及びパケットチャネル信号の拡散率の違いに応じた定数とを用いて雑音成分の大きさに相当する値を算出する雑音相当値算出手段と、
前記雑音相当値算出手段によって算出された雑音成分の大きさに相当する値を用いて、前記入力信号ベクトルの自己相関行列と、前記入力信号ベクトル及び希望信号ベクトルの相互相関ベクトルとを算出する相関行列・相関ベクトル算出手段と、
前記相関行列・相関ベクトル算出手段によって算出された前記自己相関行列及び前記相互相関ベクトルから等化に用いるウェイトを算出するウェイト算出手段と、
前記ウェイト算出手段によって算出されたウェイトを用いて受信信号の波形歪みを等化する適応等化手段と、
を具備することを特徴とする受信装置。
【請求項２】
前記相関行列・相関ベクトル算出手段は、前記雑音相当値算出手段によって算出された雑音相当値を自己相関行列の対角項に加算することを特徴とする請求項１に記載の受信装置。
【請求項３】
前記雑音相当値算出手段によって算出された雑音相当値を下回る入力信号ベクトルの成分を削除する微少成分削除手段を具備し、
前記相関行列・相関ベクトル算出手段は、前記微少成分削除手段によって所定の成分が削除された入力信号ベクトルを用いて自己相関行列及び相互相関ベクトルを算出する
ことを特徴とする請求項１に記載の受信装置。
【請求項４】
前記雑音相当値算出手段は、共通パイロットチャネル信号の拡散率とパケットチャネル信号の拡散率との違いに応じた定数を前記入力信号ベクトルの最大値に乗算することを特徴とする請求項１から請求項３のいずれかに記載の受信装置。
【請求項５】
前記入力信号ベクトルの時間平均値を用いて、他セル干渉成分に対する自セル干渉成分の比率を算出する自セル／他セル干渉比算出手段を具備し、
前記雑音相当値算出手段は、前記自セル／他セル干渉比算出手段によって算出された比率と、共通パイロットチャネル信号の拡散率及びパケットチャネル信号の拡散率の違いに応じた定数とを乗算することを特徴とする請求項１から請求項３のいずれかに記載の受信装置。
【請求項６】
所定の拡散率の拡散コードで拡散された共通パイロットチャネル信号と、前記所定の拡散率よりも低い拡散率の拡散コードで拡散されたパケットチャネル信号とがコード多重された信号を受信する受信方法において、
受信信号を共通パイロットチャネル信号の拡散コードで逆拡散する逆拡散工程と、
前記逆拡散工程の逆拡散結果を示す入力信号ベクトルと、共通パイロットチャネル信号の拡散率及びパケットチャネル信号の拡散率の違いに応じた定数とを用いて雑音成分の大きさに相当する値を算出する雑音相当値算出工程と、
前記雑音相当値算出工程によって算出された雑音成分の大きさに相当する値を用いて、前記入力信号ベクトルの自己相関行列と、前記入力信号ベクトル及び希望信号ベクトルの相互相関ベクトルとを算出する相関行列・相関ベクトル算出工程と、
前記相関行列・相関ベクトル算出工程によって算出された前記自己相関行列及び前記相互相関ベクトルから等化に用いるウェイトを算出するウェイト算出工程と、
前記ウェイト算出工程によって算出されたウェイトを用いて受信信号の波形歪みを等化する適応等化工程と、
を具備することを特徴とする受信方法。
【発明の詳細な説明】
【０００１】
【発明の属する技術分野】
本発明は、共通パイロットチャネル信号を参照信号として適応等化を行う受信装置及び受信方法に関し、例えば、通信端末装置に適用して好適なものである。
【０００２】
【従来の技術】
一般に、基地局装置及び通信端末装置間は、建物などの影響で電波の反射、回折、散乱により多重伝搬路となる。このため、多重波が互いに干渉してマルチパスフェージングが発生する。下り高速パケット伝送として知られるＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式などでは、パケットチャネルの変調多値数が１６ＱＡＭなどと高いため、マルチパスフェージングに起因するパス間干渉によって受信特性が大きく劣化することになる。
【０００３】
そこで、受信側の通信端末装置において、共通パイロットチャネルを参照信号とした適応等化を行うことが考えられる。一般的に、共通パイロットチャネルはＳＮＲ（Ｓｉｇｎａｌ  ｔｏ  Ｎｏｉｓｅ  Ｒａｔｉｏ）を稼ぐために大きい拡散率とし、高速パケット伝送用のチャネルは伝送効率を大きくするために小さい拡散率とすることが多い。
【０００４】
図６は、従来の受信装置の構成を示すブロック図である。この図において、基地局装置から送信された信号はアンテナ１１を介して受信ＲＦ部１２で受信され、受信された信号（受信信号）は、受信ＲＦ部１２で所定の受信処理（ダウンコンバートやＡ／Ｄ変換）が行なわれる。受信処理後の信号はＰＬ用拡散器１３及び適応等化部１７に出力される。
【０００５】
受信ＲＦ部１２から出力された受信処理後の信号は、ＰＬ用拡散器１３において、受信信号にコード多重された共通パイロット信号が基地局装置で拡散された拡散コードを用いて逆拡散され、逆拡散後の信号がチャネル推定部１４及び相関行列・相関ベクトル算出部１５に出力される。
【０００６】
ＰＬ用拡散器１３から出力された逆拡散後の共通パイロット信号は、チャネル推定部１４において、基地局装置から送信された信号が伝搬路中で受けた位相変動成分や振幅変動成分がチャネル推定値として推定され、推定されたチャネル推定値が相関行列・相関ベクトル算出部１５に出力される。
【０００７】
相関行列・相関ベクトル算出部１５では、ＰＬ用拡散器１３から出力された逆拡散後の共通パイロット信号を用いて入力信号の自己相関行列と、入力信号と希望信号との相互相関ベクトルとが算出される。なお、これらの算出の際に、チャネル推定部１４から出力されたチャネル推定値、すなわち、伝搬路中での変動が考慮される。算出された相関行列と相関ベクトルはウェイト算出部１６に出力される。
【０００８】
ウェイト算出部１６では、相関行列・相関ベクトル算出部１５から出力された相関行列及び相関ベクトルが用いられ、入力信号ベクトルに対する最小二乗誤差規範に基づいた最適ウェイト、すなわち、適応等化部１７のタップ係数が算出される。算出されたウェイトは適応等化部１７に出力される。
【０００９】
適応等化部１７では、受信ＲＦ部１２から出力された受信処理後の信号が、ウェイト算出部１６から出力されたウェイトを用いて適応等化される。これにより、自セル信号の干渉成分を等化することができる。適応等化後の信号はパケットＣＨ用拡散器１８に出力される。
【００１０】
適応等化部１７から出力された信号は、パケットＣＨ用拡散器１８において、パケットチャネル用の拡散コードで逆拡散された後、復調器１９において復調される。復調後の信号は復号器２０において、ターボ復号され、パケットデータが得られる。
【００１１】
このように、共通パイロットチャネルは拡散率が大きいので、受信装置においては品質のよい既知信号として取り出すことができ、この共通パイロットチャネルを利用することにより、適応等化部の動作に必要不可欠な既知信号（参照信号）の信頼性を確保することができ、適応等化部の性能を向上させることができる。
【００１２】
次に、適応等化部１７に用いられるウェイトの算出原理について説明する（非特許文献１参照）。まず、適応等化部１７のタップ数として、フィードバックタップ数をＬ１、フィードフォワードタップ数をＬ２とした場合、共通パイロット信号の逆拡散後の信号ｒ（ｔ）を用いて、入力信号ベクトルを以下のように定義する。
【００１３】
【数１】
2004356864.tif 000003
また、遅延プロファイルを［Ｍ１，Ｍ２］の区間で生成するとして、以下のような行列形式で表現することができる。
【００１４】
【数２】
2004356864.tif 000004
ここで、Ｈは（Ｌ１＋Ｌ２＋１）×（Ｌ１＋Ｌ２＋１＋Ｍ２−Ｍ１）の次元を有する伝搬路行列であり、ｕはＬ１＋Ｌ２＋１＋Ｍ２−Ｍ１の次元を有する送信信号系列であり、それぞれ以下のように表現することができる。
【００１５】
【数３】
2004356864.tif 000005
【数４】
2004356864.tif 000006
この入力信号ベクトルに対し、最小二乗誤差規範に基づく最適ウェイトＣは、以下のように求めることができる。
【００１６】
【数５】
2004356864.tif 000007
ここで、Ｒは入力信号の自己相関行列（以下、「相関行列」という）、Ｐは入力信号と希望信号の相互相関ベクトル（以下、「相関ベクトル」という）を表し、それぞれ以下のように算出することができる。
【００１７】
【数６】
2004356864.tif 000008
【数７】
2004356864.tif 000009
式（６）及び式（７）において忘却係数をλとし、伝搬変動を考慮しながら重み付け加算するようにした。また、式（７）において、ｕ１は共通パイロットチャネルのシンボルとしている。
【００１８】
このように、従来の適応等化部を用いた場合には、共通パイロットチャネルの高い拡散利得を利用し、自セル信号の干渉成分を等化することにより受信品質を向上させることができる。
【００１９】
【非特許文献１】
Ｕｎｉｖｅｒｓｉｔｙ  ｏｆ  Ｃａｌｉｆｏｒｎｉａ，  “Ａｄａｐｔｉｖｅ  ｉｎｔｅｒｆｅｒｅｎｃｅ  ｓｕｐｐｒｅｓｓｉｏｎ  ｆｏｒ  ｔｈｅ  ｄｏｗｎｌｉｎｋ  ｏｆ  ａ  ｄｉｒｅｃｔ  ｓｅｑｕｅｎｃｅ  ＣＤＭＡ  ｓｙｓｔｅｍ  ｗｉｔｈ  ｌｏｎｇ  ｓｐｒｅａｄｉｎｇ  ｓｅｑｕｅｎｃｅｓ”
【特許文献１】
特表２００２−５３９６６８号公報
【００２０】
【発明が解決しようとする課題】
しかしながら、上記従来の受信装置では、次のような問題がある。上述したように、共通パイロットチャネルはＳＮＲを高めるため、大きい拡散率となっており、パケットチャネルは伝送効率を大きくするため、小さい拡散率となっている。そのため、適応等化部のウェイト算出に用いられる相関行列及び相関ベクトルは、共通パイロットチャネルの高い拡散利得により雑音及び自セル干渉成分が抑圧された状態となっている。ところが、実際に等化の対象となるパケットチャネルでは、共通パイロットチャネルより拡散率が低いため、共通パイロットチャネルと同等の拡散利得を得ることができず、適応等化部の動作によって雑音を強調してしまうことになる。以下、図を用いて説明する。
【００２１】
図７は、従来の受信装置での処理中の信号成分を示す概念図であり、信号成分の大きさを概略的に示している。図７（ａ）は、受信ＲＦ部１２から出力された信号Ｓ１の成分を示しており、共通パイロットチャネル及びパケットチャネルは、拡散されているので信号成分の大きさとしては抑えられており、その他自セル成分と他セル成分及び白色雑音とが全体の半分以上を占めている。
【００２２】
図７（ｂ）は、ＰＬ用拡散器１３から出力された信号Ｓ２の成分を示しており、高い拡散率の共通パイロットチャネルが逆拡散されたことにより、共通パイロットチャネルの成分が大きくなり、その他の成分が減少するのが分かる。
【００２３】
図７（ｃ）は、パケットＣＨ用拡散器１８から出力された信号Ｓ３の成分を示しており、パケットチャネルは逆拡散により拡散利得が得られるため信号成分は大きくなり、自セル成分は等化により除去されるのが分かる。ところが、上述したように、他セル成分及び白色雑音は等化により低減されるべき成分であるにもかかわらず、雑音強調によりかえって増大してしまうことが分かる。
【００２４】
ちなみに、雑音強調が大きくなる条件では、最悪の場合、適応等化部を搭載していないＲＡＫＥ受信機よりも復調性能が劣ることもある。
【００２５】
本発明はかかる点に鑑みてなされたものであり、共通パイロットチャネルの拡散率とパケットチャネルの拡散率との違いにより等化後のパケットチャネルに生じる雑音強調を低減する受信装置及び受信方法を提供することを目的とする。
【００２６】
【課題を解決するための手段】
かかる課題を解決するため、本発明の受信装置は、所定の拡散率の拡散コードで拡散された共通パイロットチャネル信号と、前記所定の拡散率よりも低い拡散率の拡散コードで拡散されたパケットチャネル信号とがコード多重された信号を受信する受信装置において、受信信号を共通パイロットチャネル信号の拡散コードで逆拡散する逆拡散手段と、前記逆拡散手段の逆拡散結果を示す入力信号ベクトルと、共通パイロットチャネル信号の拡散率及びパケットチャネル信号の拡散率の違いに応じた定数とを用いて雑音成分の大きさに相当する値を算出する雑音相当値算出手段と、前記雑音相当値算出手段によって算出された雑音成分の大きさに相当する値を用いて、前記入力信号ベクトルの自己相関行列と、前記入力信号ベクトル及び希望信号ベクトルの相互相関ベクトルとを算出する相関行列・相関ベクトル算出手段と、前記相関行列・相関ベクトル算出手段によって算出された前記自己相関行列及び前記相互相関ベクトルから等化に用いるウェイトを算出するウェイト算出手段と、前記ウェイト算出手段によって算出されたウェイトを用いて受信信号の波形歪みを等化する適応等化手段と、を具備する構成を採る。
【００２７】
この構成によれば、共通パイロットチャネル信号の拡散率及びパケットチャネル信号の拡散率の違いに応じた定数を用いて算出した雑音相当値を、自己相関行列及び相互相関ベクトルの算出に用いることにより、受信信号を等化した際に、共通パイロットチャネル信号の拡散率とパケットチャネル信号の拡散率との違いにより生じる雑音強調を低減することができる。
【００２８】
本発明の受信装置は、上記構成において、前記相関行列・相関ベクトル算出手段が、前記雑音相当値算出手段によって算出された雑音相当値を自己相関行列の対角項に加算する構成を採る。
【００２９】
この構成によれば、マルチパスを受信した場合、自己相関行列の逆行列は各パス間の干渉を除去するように働くので、雑音相当値を自己相関行列の対角項に加算した行列の逆行列を用いてウェイトを算出し、算出したウェイトを用いて受信信号の等化を行うことにより、受信信号を等化した際に、共通パイロットチャネル信号とパケットチャネル信号の拡散率の違いにより生じる雑音強調を低減することができる。
【００３０】
本発明の受信装置は、上記構成において、前記雑音相当値算出手段によって算出された雑音相当値を下回る入力信号ベクトルの成分を削除する微少成分削除手段を具備し、前記相関行列・相関ベクトル算出手段が、前記微少成分削除手段によって所定の成分が削除された入力信号ベクトルを用いて自己相関行列及び相互相関ベクトルを算出する構成を採る。
【００３１】
この構成によれば、マルチパスを受信した場合、相互相関ベクトルは各パスにおける信号成分を強め合うように働くので、雑音相当値を下回る成分を削除した入力信号ベクトルを用いて自己相関行列及び相互相関ベクトルを算出し、算出した自己相関行列及び相互相関ベクトルから求めたウェイトで受信信号の等化を行うことにより、受信信号を等化した際に、受信信号の雑音成分が互いに強め合うことを防止することができ、雑音強調を低減することができる。
【００３２】
本発明の受信装置は、上記構成において、前記雑音相当値算出手段が、共通パイロットチャネル信号の拡散率とパケットチャネル信号の拡散率との違いに応じた定数を前記入力信号ベクトルの最大値に乗算する構成を採る。
【００３３】
この構成によれば、共通パイロットチャネル信号の拡散率とパケットチャネル信号の拡散率との違いに応じた定数を前記入力信号ベクトルの最大値に乗算することにより、受信信号に含まれる雑音成分に相当する大きさの値を算出することができる。
【００３４】
本発明の受信装置は、上記構成において、前記入力信号ベクトルの時間平均値を用いて、他セル干渉成分に対する自セル干渉成分の比率を算出する自セル／他セル干渉比算出手段を具備し、前記雑音相当値算出手段が、前記自セル／他セル干渉比算出手段によって算出された比率と、共通パイロットチャネル信号の拡散率及びパケットチャネル信号の拡散率の違いに応じた定数とを乗算する構成を採る。
【００３５】
この構成によれば、前記入力信号ベクトルの時間平均値を用いて算出した他セル干渉成分に対する自セル干渉成分の比率と、共通パイロットチャネル信号の拡散率とパケットチャネル信号の拡散率との違いに応じた定数とを乗算することにより、受信信号に含まれる雑音成分に相当する大きさの値を算出することができる。
【００３６】
本発明の受信方法は、所定の拡散率の拡散コードで拡散された共通パイロットチャネル信号と、前記所定の拡散率よりも低い拡散率の拡散コードで拡散されたパケットチャネル信号とがコード多重された信号を受信する受信方法において、受信信号を共通パイロットチャネル信号の拡散コードで逆拡散する逆拡散工程と、前記逆拡散工程の逆拡散結果を示す入力信号ベクトルと、共通パイロットチャネル信号の拡散率及びパケットチャネル信号の拡散率の違いに応じた定数とを用いて雑音成分の大きさに相当する値を算出する雑音相当値算出工程と、前記雑音相当値算出工程によって算出された雑音成分の大きさに相当する値を用いて、前記入力信号ベクトルの自己相関行列と、前記入力信号ベクトル及び希望信号ベクトルの相互相関ベクトルとを算出する相関行列・相関ベクトル算出工程と、前記相関行列・相関ベクトル算出工程によって算出された前記自己相関行列及び前記相互相関ベクトルから等化に用いるウェイトを算出するウェイト算出工程と、前記ウェイト算出工程によって算出されたウェイトを用いて受信信号の波形歪みを等化する適応等化工程と、を具備するようにした。
【００３７】
この方法によれば、共通パイロットチャネル信号の拡散率とパケットチャネル信号の拡散率の違いに応じた定数を用いて算出した雑音相当値を、自己相関行列及び相互相関ベクトルの算出に用いることにより、受信信号を等化した際に、共通パイロットチャネル信号の拡散率とパケットチャネル信号の拡散率により生じる雑音強調を低減することができる。
【００３８】
【発明の実施の形態】
本発明の骨子は、共通パイロットチャネルとパケットチャネルの拡散率の違いに応じた定数を用いて雑音成分に相当する大きさの雑音相当値を算出し、自己相関行列及び相互相関ベクトルの作用に応じて、当該自己相関行列及び相互相関ベクトルの算出処理を前記雑音相当値を用いて行うことである。すなわち、自己相関行列の算出には、自己相関行列の対角項に雑音成分を加算し、相互相関ベクトルの算出には、雑音成分を下回る入力信号ベクトルの成分を削除した入力信号ベクトルを用いることである。
【００３９】
以下、本発明の実施の形態について図面を用いて説明する。
【００４０】
（実施の形態１）
図１は、本発明の実施の形態１に係る通信端末装置における受信装置の構成を示すブロック図である。この図において、アンテナ１０１は基地局装置から送信された信号を受信し、受信した信号（受信信号）を受信ＲＦ部１０２に出力する。
【００４１】
受信ＲＦ部１０２は、受信信号に対して所定の無線受信処理（ダウンコンバートやＡ／Ｄ変換等）を施し、無線受信処理後の信号を適応等化部１０８及びＰＬ用拡散器１０３に出力する。
【００４２】
ＰＬ用拡散器１０３は、共通パイロット信号が基地局装置で拡散された拡散コードで受信ＲＦ部１０２から出力された信号を逆拡散し、逆拡散後の信号をチャネル推定部１０４、雑音成分付与部１０５及び相関行列・相関ベクトル算出部１０６に出力する。
【００４３】
チャネル推定部１０４は、ＰＬ用拡散器１０３から出力された信号に基づいて、伝搬路中で基地局装置からの送信信号が受けた位相変動成分及び振幅変動成分をチャネル推定値として算出し、伝搬路の変動を推定する。算出されたチャネル推定値は、相関行列・相関ベクトル算出部１０６に出力される。
【００４４】
雑音成分付与部１０５は、ＰＬ用拡散器１０３から出力された入力信号の逆拡散結果を用いて入力信号ベクトルの最大値ｍａｘ（ｒ（ｎ））を求める。そして、共通パイロットチャネルの拡散率とパケットチャネルの拡散率とに応じた定数ｒｅｌａｔｉｖｅＳＮＲをｍａｘ（ｒ（ｎ））に乗積し、雑音成分の大きさに相当する雑音相当値ｎｏｉｓｅ＿ｐｏｗｅｒとして算出する。算出されたｎｏｉｓｅ＿ｐｏｗｅｒは相関行列・相関ベクトル算出部１０６に出力される。
【００４５】
相関行列・相関ベクトル算出部１０６は、ＰＬ用拡散器１０３から出力された逆拡散後の共通パイロット信号を用いて入力信号の自己相関行列（以下、「相関行列」という）と、入力信号と希望信号との相互相関ベクトル（以下、「相関ベクトル」という）とが算出される。算出された相関行列の対角項には雑音成分付与部１０５から出力されたｎｏｉｓｅ＿ｐｏｗｅｒが加算される。なお、相関行列と相関ベクトルの算出の際に、チャネル推定部１０４から出力されたチャネル推定値、すなわち、伝搬路中での変動が考慮される。雑音成分が付与された相関行列と、相関ベクトルはウェイト算出部１０７に出力される。
【００４６】
ウェイト算出部１０７は、相関行列・相関ベクトル算出部１０６から出力された算出結果を用いて、適応等化部１０８に設定するウェイトを算出し、算出したウェイトを適応等化部１０８に出力する。
【００４７】
適応等化部１０８は、適応等化部１０８内のタップ係数をウェイト算出部１０７で算出されたウェイトに更新し、受信ＲＦ部１０２から出力された信号を等化し、波形歪みを修復する。等化後の信号はパケットＣＨ用拡散器１０９に出力される。
【００４８】
パケットＣＨ用拡散器１０９は、適応等化部１０８から出力された信号をパケットチャネル用の拡散コードで逆拡散し、逆拡散後の信号を復調器１１０に出力する。
【００４９】
パケットＣＨ用拡散器１０９から出力された逆拡散後の信号は、復調器１１０において復調され、復調された信号は復号器１１１においてターボ復号され、パケットデータが得られる。
【００５０】
ここで、適応等化部１０８に用いられるウェイトの算出方法について式を用いて説明する。まず、雑音成分付与部１０５では、共通パイロットチャネルの拡散率とパケットチャネルの拡散率とからｒｅｌａｔｉｖｅＳＮＲが算出される。例えば、共通パイロットチャネルの拡散率を２５６とし、パケットチャネルの拡散率を１６とした場合を考えてみる。簡単のため、拡散前の両チャネルのＳＮＲを０［ｄＢ］とすると、共通パイロットチャネルを逆拡散して得られる拡散利得は、ＰＧＰＬ＝ｌｏｇ１０（２５６）≒２４［ｄＢ］となり、逆拡散後の共通パイロットチャネルのＳＮＲは、ＳＮＲＰＬ＝０＋ｌｏｇ１０（２５６）≒２４［ｄＢ］となる。一方、パケットチャネルを逆拡散して得られる拡散利得は、ＰＧＰＣ＝ｌｏｇ１０（１６）≒１２［ｄＢ］となり、逆拡散後のパケットチャネルのＳＮＲは、ＳＮＲＰＣ＝０＋ｌｏｇ（１６）≒１２［ｄＢ］と求められる。ｒｅｌａｔｉｖｅＳＮＲは両ＳＮＲの差であり、ＰＧＰＬ−ＰＧＰＣ＝ｌｏｇ１０（２５６／１６）＝ｌｏｇ１０（１６）≒１２［ｄＢ］として算出される。また、この値は両者のＳＮＲの差として求められるＳＮＲＰＬ−  ＳＮＲＰＣとも一致することが分かる。
【００５１】
次に、雑音成分付与部１０５では、上記ｒｅｌａｔｉｖｅＳＮＲを用いて以下のような計算が行われ、雑音成分の大きさに相当する雑音相当値ｎｏｉｓｅ＿ｐｏｗｅｒが算出される。
【００５２】
【数８】
2004356864.tif 000010
拡散率の大きい共通パイロットチャネルは雑音成分の抑圧に大きく作用するのに対し、拡散率の小さいパケットチャネルは共通パイロットチャネルほど雑音成分を抑圧することができない。このため、両チャネルの拡散率の差に応じた雑音成分を式（８）で見積もっている。
【００５３】
続いて、相関行列・相関ベクトル算出部１０６では、式（８）により求められたｎｏｉｓｅ＿ｐｏｗｅｒを用いて以下のように相関行列Ｒｌ（ｎ）が算出される。
【００５４】
【数９】
2004356864.tif 000011
Ｉ：単位行列
式（９）により、共通パイロットチャネルとパケットチャネルの拡散率の違いにより生じる雑音成分が相関行列の対角項に加算されることになる。そもそも相関行列の対角項は、例えば、白色雑音を考えた場合、雑音の２乗値が加算されることになり、対角項の大きさで雑音の強さが表現されていると考えることができる。このため、式（９）のように、相関行列の対角項に雑音成分を人為的に加算することにより、相関行列における信号品質が劣化する方向に操作することができる。
【００５５】
ウェイト算出部１０７では、相関行列・相関ベクトル算出部１０６で式（７）及び式（９）により算出された結果を用いて、式（５）により最適ウェイトが算出される。ここで、相関行列の逆行列は、マルチパスフェージングの各パスの信号成分が互いにパス間干渉を及ぼし合う影響を除去するように働く。このとき、式（９）で付与された雑音成分がパス間干渉を及ぼし合う影響が正確に除去されるように作用する。
【００５６】
このように算出された最適ウェイトは、結果的にパケットチャネルのＳＮＲを近似して算出したものと同等になり、このウェイトを用いてパケットチャネルの等化を行うことにより、雑音強調を低減することができ、受信品質を向上させることができる。
【００５７】
図２は、本発明の実施の形態１に係る受信装置での処理中の信号成分を示す概念図である。図２（ａ）は、受信ＲＦ部１０２から出力された信号Ｓ１の成分を、図２（ｂ）は、ＰＬ用拡散器１０３から出力された信号Ｓ２の成分を、図２（ｃ）は、パケットＣＨ用拡散器１０９から出力された信号Ｓ４の成分をそれぞれ示している。
【００５８】
図２（ａ）及び（ｂ）については、従来と変わるところはないが、図２（ｃ）では、他セル成分及び白色雑音の雑音強調が低減されている様子が分かる。
【００５９】
このように本実施の形態によれば、共通パイロットチャネルの逆拡散結果における最大値に共通パイロットチャネルの拡散率とパケットチャネルの拡散率とに応じた定数を乗算することにより雑音成分に相当する大きさの雑音相当値を算出し、算出された雑音相当値を入力信号ベクトルの相関行列の対角項に付与し、この相関行列を用いて算出されたウェイトで受信信号の適応等化を行うことにより、共通パイロットチャネルの拡散率とパケットチャネルの拡散率との違いにより等化後のパケットチャネルに生じる雑音強調を低減することができ、パケットチャネルの受信品質を向上させることができる。
【００６０】
なお、本実施の形態では、ｒｅｌａｔｉｖｅＳＮＲは、拡散率ＳＦにより得られる拡散利得をｌｏｇ１０（ＳＦ）とし、これを拡散前のＳＮＲに加算した値を共通パイロットチャネル及びパケットチャネルそれぞれについて算出し、これらの差（比）としているが、様々な要因により生じる誤差の影響を加味してｒｅｌａｔｉｖｅＳＮＲを算出することにより、雑音強調の低減効果をさらに高めることができる。
【００６１】
（実施の形態２）
図３は、本発明の実施の形態２に係る通信端末装置における受信装置の構成を示すブロック図である。ただし、図３が図１と共通する部分には、図１と同一の符号を付し、その詳しい説明は省略する。図３が図１と異なる点は、雑音成分付与部１０５を微少成分削除部３０１に変更した点である。
【００６２】
微少成分削除部３０１は、ＰＬ用拡散器１０３から出力された入力信号の逆拡散結果を用いて入力信号ベクトルの最大値ｍａｘ（ｒ（ｎ））を求める。そして、実施の形態１で説明した式（８）と同様に、共通パイロットチャネルの拡散率とパケットチャネルの拡散率とに応じた定数ｒｅｌａｔｉｖｅＳＮＲをｍａｘ（ｒ（ｎ））に乗算し、雑音相当値ｎｏｉｓｅ＿ｐｏｗｅｒを算出する。さらに、入力信号ベクトルｒ（ｎ）において、ｎｏｉｓｅ＿ｐｏｗｅｒ以下となる成分を雑音と見なして「０」に置き換える。例えば、入力信号ベクトルのｎ−Ｌ１＋１、ｎ＋１の成分がｎｏｉｓｅ＿ｐｏｗｅｒを下回った場合、以下のようになる。
【００６３】
【数１０】
2004356864.tif 000012
このように、所定の成分が「０」に置き換えられた入力信号ベクトルｒ（ｎ）は、相関行列・相関ベクトル算出部１０６に出力される。
【００６４】
相関行列・相関ベクトル算出部１０６では、微少成分削除部３０１から出力された入力信号ベクトルｒ（ｎ）を用いて、式（６）及び式（７）に示したように相関行列及び相関ベクトルが算出され、ウェイト算出部１０７では式（６）の算出結果である相関行列と式（７）の算出結果である相関ベクトルを用いて最適ウェイトが算出される。
【００６５】
ここで、相関ベクトルは、マルチパスフェージングの各パスの信号成分をそれぞれ強め合うように作用するものである。このため、相関ベクトルを算出する際に、雑音と見なされる成分を予め削除しておくことにより、雑音成分が強め合うことを防ぐことができる。すなわち、雑音強調を低減することに寄与する。
【００６６】
このように本実施の形態によれば、所定値を下回る入力信号ベクトルの成分を雑音と見なしてその成分を削除し、この入力信号ベクトルから相関ベクトルを算出し、算出された相関ベクトルを用いて得られたウェイトで受信信号の等化を行えば、共通パイロットチャネルとパケットチャネルの拡散率の違いにより等化後のパケットチャネルに生じる雑音強調を低減することができる。
【００６７】
（実施の形態３）
図４は、本発明の実施の形態３に係る通信端末装置における受信装置の構成を示すブロック図である。ただし、図４が図１と共通する部分には、図１と同一の符号を付し、その詳しい説明は省略する。図４が図１と異なる点は、自セル／他セル干渉比算出部４０１を設けた点と、雑音成分付与部１０５を雑音成分付与部４０２に変更した点である。
【００６８】
自セル／他セル干渉比算出部４０１は、ＰＬ用拡散器１０３から出力された信号に基づいて、他セル干渉成分に対する自セル干渉成分の比であるｅｓｔｉｍａｔｅｄＣＩＲを算出する。具体的には、式（１）に示した入力信号ベクトルを長時間平均化した値から算出する。算出されたｅｓｔｉｍａｔｅｄＣＩＲは雑音成分付与部４０２に出力される。
【００６９】
雑音成分付与部４０２は、共通パイロットチャネルとパケットチャネルの拡散率の違いに応じた定数ｒｅｌａｔｉｖｅＳＮＲを自セル／他セル干渉比算出部４０１から出力されたｅｓｔｉｍａｔｅｄＣＩＲに乗算し、雑音成分の大きさに相当する値である雑音相当値ｎｏｉｓｅ＿ｐｏｗｅｒとして算出する。
【００７０】
【数１１】
2004356864.tif 000013
算出されたｎｏｉｓｅ＿ｐｏｗｅｒは相関行列・相関ベクトル算出部１０６に出力される。
【００７１】
相関行列・相関ベクトル算出部１０６では、雑音成分付与部４０２で算出されたｎｏｉｓｅ＿ｐｏｗｅｒが相関行列の対角項に加算される式（９）の演算が行われ、ウェイト算出部１０７では、式（９）の演算結果を用いて最適ウェイトが算出される。
【００７２】
このように本実施の形態によれば、他セル干渉成分に対する自セル干渉成分の比率に、共通パイロットチャネルとパケットチャネルの拡散率の違いに応じた所定の値を乗算することにより雑音相当値を算出し、算出された雑音相当値を入力信号ベクトルの相関行列の対角項に付与し、この相関行列を用いて算出されたウェイトで受信信号の適応等化を行うことにより、共通パイロットチャネルの拡散率とパケットチャネルの拡散率との違いにより等化後のパケットチャネルに生じる雑音強調を低減することができ、パケットチャネルの受信品質を向上させることができる。
【００７３】
（実施の形態４）
図５は、本発明の実施の形態４に係る通信端末装置における受信装置の構成を示すブロック図である。ただし、図５が図３と共通する部分には、図３と同一の符号を付し、その詳しい説明は省略する。図５が図３と異なる点は、自セル／他セル干渉比算出部４０１を設けた点と、微少成分削除部３０１を微少成分削除部５０１に変更した点である。
【００７４】
自セル／他セル干渉比算出部４０１は、ＰＬ用拡散器１０３から出力された信号に基づいて、他セル干渉成分に対する自セル干渉成分の比であるｅｓｔｉｍａｔｅｄＣＩＲを算出する。具体的には、式（１）に示した入力信号ベクトルを長時間平均化した値から算出する。算出されたｅｓｔｉｍａｔｅｄＣＩＲは微少成分削除部５０１に出力される。
【００７５】
微少成分削除部５０１は、共通パイロットチャネルの拡散率とパケットチャネルの拡散率とに応じた定数ｒｅｌａｔｉｖｅＳＮＲを自セル／他セル干渉比算出部４０１から出力されたｅｓｔｉｍａｔｅｄＣＩＲに乗算し、雑音相当値ｎｏｉｓｅ＿ｐｏｗｅｒを算出する。入力信号ベクトルｒ（ｎ）において、ｎｏｉｓｅ＿ｐｏｗｅｒ以下となる成分を雑音と見なして「０」に置き換える。所定の成分が「０」に置き換えられた入力信号ベクトルｒ（ｎ）は、相関行列・相関ベクトル算出部１０６に出力される。
【００７６】
相関行列・相関ベクトル算出部１０６では、微少成分削除部５０１から出力された入力信号ベクトルｒ（ｎ）を用いて、式（６）及び式（７）に示したように相関行列及び相関ベクトルが算出され、ウェイト算出部１０７では式（６）の算出結果である相関行列と式（７）の算出結果である相関ベクトルを用いて最適ウェイトが算出される。
【００７７】
このように本実施の形態によれば、他セル干渉成分に対する自セル干渉成分の比に、共通パイロットチャネルとパケットチャネルの拡散率の違いに応じた所定の値を乗算することにより雑音相当値を算出し、算出した雑音相当値を下回る入力信号ベクトルの成分を削除し、この入力信号ベクトルから相関ベクトルを算出し、算出された相関ベクトルを用いて得られたウェイトで受信信号の等化を行えば、共通パイロットチャネルとパケットチャネルの拡散率の違いにより等化後のパケットチャネルに生じる雑音強調を低減することができ、パケットチャネルの受信品質を向上させることができる。
【００７８】
【発明の効果】
以上説明したように、本発明によれば、共通パイロットチャネルとパケットチャネルの拡散率の違いに応じた定数を用いて雑音成分に相当する大きさの雑音相当値を算出し、相関行列及び相関ベクトルの作用に応じて、当該相関行列及び相関ベクトルの算出処理を前記雑音相当値を用いて行うことにより、受信信号を等化した際に、共通パイロットチャネル信号の拡散率とパケットチャネル信号の拡散率の違いにより生じる雑音強調を低減することができる。
【図面の簡単な説明】
【図１】本発明の実施の形態１に係る通信端末装置における受信装置の構成を示すブロック図
【図２】本発明の実施の形態１に係る通信端末装置における受信装置での処理中の信号成分を示す概念図
【図３】本発明の実施の形態２に係る通信端末装置における受信装置の構成を示すブロック図
【図４】本発明の実施の形態３に係る通信端末装置における受信装置の構成を示すブロック図
【図５】本発明の実施の形態４に係る通信端末装置における受信装置の構成を示すブロック図
【図６】従来の受信装置の構成を示すブロック図
【図７】従来の受信装置での処理中の信号成分を示す概念図
【符号の説明】
１０２  受信ＲＦ部
１０３  ＰＬ用拡散器
１０４  チャネル推定部
１０５、４０２  雑音成分付与部
１０６  相関行列・相関ベクトル算出部
１０７  ウェイト算出部
１０８  適応等化部
１０９  パケットＣＨ用拡散器
１１０  復調器
１１１  復号器
３０１、５０１  微少成分削除部
４０１  自セル／他セル干渉比算出部
【図１】
2004356864.tif 000014
【図２】
2004356864.tif 000015
【図３】
2004356864.tif 000016
【図４】
2004356864.tif 000017
【図５】
2004356864.tif 000018
【図６】
2004356864.tif 000019
【図７】
2004356864.tif 000020